(57)【特許請求の範囲】
【請求項１】
撮影用開口を形成した第１の外壁と該第１の外壁と略平行に対向した第２の外壁とを有する本体を備え、前記第１の外壁と前記第２の外壁とは前記本体の厚さ方向に沿って所定の間隔で配置されていて、前記本体の厚さ方向に沿った光軸を有し前記本体の前記第１の外壁と前記第２の外壁との間に配置されている撮像光学系を備えたカメラ付き携帯用情報端末装置において、
前記第１の外壁と前記第２の外壁との間に、被写体側から順に、前記撮影用開口を塞ぐため前記第１の外壁に取り付けられた透光板と、カバー板と、少なくとも１枚の羽根部材と、撮影光の光路規制用開口を有していて該光路規制用開口を前記透光板に近接して配置し、且つ、被写体側の面に前記羽根部材を往復作動可能に取り付けると共に前記羽根部材よりも被写体側に前記カバー板を取り付けた地板と、前記地板の前記光路規制用開口に近接して配置した前記撮影光学系と、前記第２の外壁に近接して配置した固体撮像素子と、を備えるとともに、
前記第１の外壁と前記第２の外壁との間に配置され、且つ前記地板の前記撮影光学系側の面において前記撮影光学系の側方位置に取り付けられていて前記羽根部材を往復作動させて前記光路規制用開口に進退させるアクチュエータを備えているカメラ付き携帯用情報端末装置。
【請求項２】
前記地板に往復作動可能に取り付けられていて前記光路規制用開口に対して進退可能な少なくとも１枚の第２羽根部材と、前記地板の前記撮影光学系側の面に対して前記撮影光学系の側方位置で取り付けられていて該第２羽根部材を往復作動させる第２アクチュエータと、を備えていて、前記羽根部材と該第２羽根部材との一方が、シャッタ羽根であり、他方の羽根部材が減光用羽根である請求項１に記載のカメラ付き携帯用情報端末装置。
【請求項３】
前記減光用羽根が、前記光路規制用開口より小さくて前記光路規制用開口に対して進退する開口を有した絞り羽根であって、前記地板に回転可能に取り付けられている請求項２に記載のカメラ付き携帯用情報端末装置。
【請求項４】
前記減光用羽根が、前記光路規制用開口に対して進退する開口を有した２枚の羽根部材と、該２枚の羽根部材の開口を覆うため該２枚の羽根部材の間に重合された１枚のフィルタ板で製作された羽根部材とで構成されていて、前記３枚の羽根部材は、前記地板の同一位置に回転可能に取り付けられている請求項２に記載のカメラ付き携帯用情報端末装置。
【請求項５】
前記羽根部材が、前記光路規制用開口より小さくて前記光路規制用開口に対して進退する開口を有した絞り羽根であって、前記地板に回転可能に取り付けられている請求項１に記載のカメラ付き携帯用情報端末装置。
【請求項６】
前記羽根部材が、前記光路規制用開口に対して進退する開口を有していて該開口を覆うため一方の面にフィルタ板を取り付けたフィルタ羽根であり、該フィルタ羽根は、前記地板と光路用開口を有するカバー板との間に配置されており、前記地板と該カバー板のいずれか一方には、前記フィルタ羽根が回転するとき前記フィルタ板に接触しないように逃げ部が形成されている請求項１に記載のカメラ付き携帯用情報端末装置。
【請求項７】
前記羽根部材が、前記光路規制用開口に対して進退する開口を有した２枚の羽根部材と、該２枚の羽根部材の開口を覆うため該２枚の羽根部材の間に重合された１枚のフィルタ板で製作された羽根部材とで構成されていて、前記３枚の羽根部材は、前記地板の同一位置に回転可能に取り付けられている請求項１に記載のカメラ付き携帯用情報端末装置。
【請求項８】
前記羽根部材が、フィルタ板で製作された１枚のフィルタ羽根であり、該フィルタ羽根は、前記地板と、光路用開口を有するカバー板との間に配置されており、前記地板と該カバー板の何れにも、前記フィルタ羽根が回転するとき該フィルタ板に接触しないように逃げ部が形成されている請求項１に記載のカメラ付き携帯用情報端末装置。
【請求項９】
前記カメラ付き携帯用情報端末装置は、携帯電話に搭載されている請求項１乃至８のいずれかに記載のカメラ付き携帯用情報端末装置。
【請求項１０】
前記カメラ付き携帯用情報端末装置は、ＰＤＡ等のモバイル情報端末機に搭載されている請求項１乃至８のいずれかに記載のカメラ付き携帯用情報端末装置。
【請求項１１】
前記カメラ付き携帯用情報端末装置は、パーソナルコンピュータに搭載されている請求項１乃至８のいずれかに記載のカメラ付き携帯用情報端末装置。
【発明の詳細な説明】
【技術分野】
【０００１】  本発明は、シャッタ羽根や絞り羽根などの羽根部材をアクチュエータで往復動させるようにしたカメラを備えた携帯用情報端末装置に関する。
【背景技術】
【０００２】  カメラに採用されているレンズシャッタ装置，絞り装置，フィルタ装置は、各々１枚又は複数枚の羽根部材を有していて、それらをアクチュエータによって往復動させるように構成されている。それらの装置は、それぞれを独立したユニットとして構成することもあるが、それらのうちの二者、又は三者を一つのユニットとして構成することもある。レンズシャッタ装置の場合には、２枚の羽根を用いることが多いが、レンズ口径の小さなカメラの場合には、１枚のみを用いることもある。また、レンズ口径の小さなカメラに採用される絞り装置の場合には、小さい円形の開口を有した１枚の羽根を、必要に応じて撮影光路に進退させるのが普通である。【０００３】  更に、フィルタ装置の場合には、１枚の羽根が、上記の絞り装置の羽根と類似の形状（但し、その開口は、地板に形成された撮影光路規制用の開口と略同じ大きさの場合もある）を有していて、その開口の近傍位置にその開口を覆うようにＮＤフィルタ板を取り付けた構造が多いが、上記の形状の羽根を２枚用意すると共に、それらの間に、それらの開口を覆うように、ＮＤフィルタ板の羽根を重合させ、３枚の羽根を同時に同方向へ同角度だけ往復回転させるようにした構造も提案されている。【０００４】  ところで、最近の携帯電話やＰＤＡなどの携帯用情報端末装置の傾向は、カメラを装備することにある。ところが、上記のようなシャッタ装置，絞り装置，フィルタ装置がいくら小型化されたとはいっても、アクチュエータを小型化するには自ずと限度があり、装置内での配置構成も容易ではない。また、携帯用情報端末装置自体も、上記のような装置を組み込んだことを理由に、大型にすることは許されない。そのため、それらの装置を組み込めば、画質のよい画像が得られることは分っているが、実際問題としては、組み込まれていないのが現状である（例えば、特許文献１，２参照）。
【特許文献１】特開２００１−３０９００３号公報
【特許文献２】特開２００３−２１９２２９号公報
【発明の開示】
【０００５】  特許文献２に記載されているように、従来のカメラ付き携帯用情報端末装置は、本体に撮影用開口が形成されていて、その開口に近接して、本体内部に撮影光学系が配置されている。そして、撮影光学系の光軸方向の寸法を出来るだけ小さくして、本体を極力薄くすることや、内部のスペース効率をよくして、全体を小型にすることが要求されている。他方、上記のようなシャッタ装置，絞り装置，フィルタ装置では、羽根部材が、通常は羽根室内において地板に取り付けられており、アクチュエータは、地板の外面に取り付けられている。そして、通常のカメラでは、羽根部材と地板とは、撮影光学系を構成している複数枚のレンズ間に配置されるのが一般的である。そのため、それらの装置をそのようにして携帯用情報端末装置に組み付けた場合は、アクチュエータが比較的嵩張ることから、撮影光学系の光軸方向の寸法を大きくする結果となったり、本体内のスペース効率を損なう要因になるという問題点がある。
【０００６】  このような問題点を解消し、それらの装置を採用し易いようにするためには、羽根部材と地板とを、撮影光学系を構成している複数枚のレンズ間に配置するのではなく、本体の撮影用開口と撮影光学系との間に配置することが考えられる。それによってアクチュエータの配置位置が撮影用開口側に寄せられるので、その分だけ上記の撮影光学系の光軸方向の寸法が大きくならず、本体の薄型化が可能になったり、他の部材を配置するために便利な比較的大きなスペースを確保することができる。ところが、そのような構成にした場合には、従来のように撮影光学系の前面だけが外部に露出しているだけではなく、羽根部材も外部に露出する結果となるため、従来のように、撮影光学系のみならず羽根部材にも埃が付着したり、羽根部材を指で押す可能性があるほか、埃が羽根部材の作動領域の隙間から本体内部に進入する結果となる。
【０００７】  そして、埃が羽根部材に付着した場合には、羽根部材の作動に影響を与えるし、撮影光学系に付着した場合には、画質に直接影響を与える。また、羽根部材を誤って指で振れたり押したりした場合は、羽根部材を変形させたり、羽根部材に指紋を付けたりして、羽根部材の作動に影響を与えることになる。また、撮影光学系の構成部品に指紋を付けた場合には、画質に直接影響を与えることになる。更に、埃が羽根部材の作動領域の隙間から本体内部に進入した場合には、やがて、アクチュエータの作動に影響を与えたり、固体撮像素子の結像面に付着したりするほか、カメラ以外の構成部材の機能にも影響を与える結果となる。
【０００８】  従来は、撮影光学系の前面に埃や指紋が付着したときには、その表面を拭けばよかった。ところが、羽根部材と地板とを、本体の撮影用開口と撮影光学系との間に配置した場合には、撮影光学系は、元々口径が小さい上に、羽根部材と地板とを配置した分だけ本体の奥へ配置されることになるため、拭き取り作業が容易でなく、完全に清掃することが極めて困難になる。また、特許文献１には、保護カバーを本体に取り付けて、撮影時以外は撮影光学系の前面を保護カバーで覆うようにした構成が記載されているが、そのような保護カバーを採用したとしても、保護カバーを撮影光学系の前面で進退させる操作が面倒であって、撮影後、撮影用開口を覆うことを忘れることもあるし、承知の上で長時間覆わない場合もある。また、撮影の都度、そのような操作を行なったとしても、撮影の際には、本体内部への微細な埃の侵入を防ぐことができない。
【０００９】
本発明の目的は、シャッタ装置，絞り装置，フィルタ装置に設けられている羽根部材と、その羽根部材が取り付けられている地板とを、本体の撮影用開口と撮影光学系との間に配置して、本体の薄型化と本体内部のスペースを有効に利用することを可能にすると共に、本体内部に撮影用開口から埃が侵入しないようなカメラ付き携帯用情報端末装置を提供することにある。
【００１０】
この目的を達成するために、本発明のカメラ付き携帯用情報端末装置は、撮影用開口を形成した第１の外壁と該第１の外壁と略平行に対向した第２の外壁とを有する本体を備え、前記第１の外壁と前記第２の外壁とは前記本体の厚さ方向に沿って所定の間隔で配置されていて、前記本体の厚さ方向に沿った光軸を有し前記本体の前記第１の外壁と前記第２の外壁との間に配置されている撮像光学系を備えたカメラ付き携帯用情報端末装置において、前記第１の外壁と前記第２の外壁との間に、被写体側から順に、前記撮影用開口を塞ぐため前記第１の外壁に取り付けられた透光板と、カバー板と、少なくとも１枚の羽根部材と、撮影光の光路規制用開口を有していて該光路規制用開口を前記透光板に近接して配置し、且つ、被写体側の面に前記羽根部材を往復作動可能に取り付けると共に前記羽根部材よりも被写体側に前記カバー板を取り付けた地板と、前記地板の前記光路規制用開口に近接して配置した前記撮影光学系と、前記第２の外壁に近接して配置した固体撮像素子と、を備えるとともに、前記第１の外壁と前記第２の外壁との間に配置され、且つ前記地板の前記撮影光学系側の面において前記撮影光学系の側方位置に取り付けられていて前記羽根部材を往復作動させて前記光路規制用開口に進退させるアクチュエータを備えているアクチュエータとを備えている。
【００１１】
また、上記のカメラ付き携帯用情報端末装置において、さらに、前記地板に往復作動可能に取り付けられていて前記光路規制用開口に対して進退可能な少なくとも１枚の第２羽根部材と、前記地板の前記撮影光学系側の面に対して前記撮影光学系の側方位置で取り付けられていて該第２羽根部材を往復作動させる第２アクチュエータと、を備えていて、前記羽根部材と該第２羽根部材との一方が、シャッタ羽根であり、他方の羽根部材が減光用羽根であるようにしてもよい。その場合、前記減光用の羽根部材が、前記光路規制用開口より小さくて前記光路規制用開口に進退させる開口を有した絞り羽根であって、前記地板に回転可能に取り付けられているようにしてもよいし、また、前記減光用の羽根部材が、前記光路規制用開口に進退させる開口を有した２枚の羽根部材と、該２枚の羽根部材の開口を覆うように該２枚の羽根部材の間に重合された１枚のフィルタ板で製作された羽根部材とで構成されていて、それらの３枚の羽根部材は、前記地板の同一位置に回転可能に取り付けられてもよい。
【００１２】  前記羽根部材は、前記光路規制用開口より小さくて前記光路規制用開口に進退する開口を有した絞り羽根であって、前記地板に回転可能に取り付けられていてもよい。
【００１３】  また、前記羽根部材は、前記光路規制用開口に進退する開口を有していて該開口を覆うため一方の面にフィルタ板を取り付けたフィルタ羽根であり、該フィルタ羽根は、前記地板と光路用開口を有するカバー板との間に配置され、前記地板と該カバー板のいずれか一方には、前記フィルタ羽根が回転するとき該フィルタ板に接触しないように逃げ部が形成されている。
【００１４】  また、前記羽根部材は、前記光路規制用開口に進退する開口を有した２枚の羽根と、該２枚の羽根の開口を覆うように該２枚の羽根の間に重合された１枚のフィルタ板で製作された羽根とで構成されていて、それらの３枚の羽根は、前記地板の同一位置に回転可能に取り付けられている。
【００１５】  また、前記羽根部材は、フィルタ板で製作された１枚のフィルタ羽根であり、該フィルタ羽根は、前記地板と、光路用開口を有するカバー板との間に配置されており、前記地板と該カバー板の何れにも、前記フィルタ羽根が回転するとき該フィルタ板に接触しないように逃げ部が形成されている。
【００１６】  前記カメラ付き携帯用情報端末装置は、携帯電話、ＰＤＡ等のモバイル情報端末機及びパーソナルコンピュータの何れにも搭載され得る。
【図面の簡単な説明】
【００１７】
【図１】図１は本発明によるカメラ付き携帯用情報端末装置の実施例１の要部断面図である。
【図２】図２は実施例１に用いられたシャッタ装置のユニットを図１の右方から見た平面図である。
【図３】図３は実施例１のシャッタ装置を内蔵した携帯電話の一例の正面図である。
【図４】図４は実施例１のシャッタ装置を内蔵した携帯電話の他の例の正面図である。
【図５】図５は実施例１のシャッタ装置を内蔵したＰＤＡの斜視図である。
【図６】図６は実施例１のシャッタ装置を内蔵したパソコンの斜視図である。
【図７】図７は本発明によるカメラ付き携帯用情報端末装置の実施例２の要部断面図である。
【図８】図８は実施例２に用いられたシャッタ装置とフィルタ装置のユニットを図７の右方から見た平面図である。
【図９】図９は地板を取り除いて図８の状態における羽根室内を示した平面図である。
【図１０】図１０は図９に示されたフィルタ羽根の構成部材を示した説明図である。
【図１１】図１１は本発明によるカメラ付き携帯用情報端末装置の実施例３に用いられたシャッタ装置を図２と同じようにして見た平面図である。
【図１２】図１２は本発明によるカメラ付き携帯用情報端末装置の実施例４に採用されている絞り装置の分解斜視図である。
【図１３】図１３は本発明によるカメラ付き携帯用情報端末装置の実施例５に採用されているフィルタ装置の分解斜視図である。
【図１４】図１４は本発明によるカメラ付き携帯用情報端末装置の実施例６に採用されているフィルタ装置の分解斜視図である。
【図１５】図１５は本発明によるカメラ付き携帯用情報端末装置の実施例７に採用されているフィルタ装置の分解斜視図である。
【発明を実施するための最良の形態】
【００１８】  本発明を図示した六つの実施例によって説明する。図１〜図６は実施例１を、図７〜図１０は実施例２を、図１１，図１２，図１３，図１４及び図１５はそれぞれ実施例３，４，５，６及び７を説明するために用いられる。
【実施例１】
【００１９】  本実施例は、シャッタ装置だけを備えたカメラ付き携帯用情報端末装置の一例である。図１はカメラ付き携帯電話に実施された場合の要部を示す断面図、図２はシャッタ装置のユニットだけを図１の右方から見た平面図、図３は携帯電話の全体を示した正面図である。【００２０】  携帯電話ＭＰの本体１には、撮影用開口１ａが形成されている。この撮影用開口１ａは、図３に示されているように、通常の場合には円形をしているが、後述の説明からも分かるように、必ずしも円形である必要がない。図１に示すように、本体１の内部側には、透光板２が、その撮影用開口１ａを塞ぐため、接着剤などによって取り付けられている。また、本体１の内部には、透光板２に面して撮影光学系３が配置されている。撮影光学系３は、本実施例の場合、レンズ枠３ａに取り付けられた３枚のレンズ３ｂ，３ｃ，３ｄで構成されている。固体撮像素子４は、レンズ３ｄの後方において撮影光学系３の結像面に配置されており、基板５を介してレンズ枠３ａに取り付けられている。このように組み付けられた撮影光学系３と固体撮像素子４とは、図示していない適宜な手段を介して、本体１に取り付けられている。【００２１】  次に、図１及び図２を参照して、本実施例に用いられるシャッタ装置ユニットの構成を説明する。地板６には、ねじ７，８によってカバー板９が取り付けられ、地板６とカバー板９との間には羽根室が構成されている。地板６は、合成樹脂製であって、撮影光の光路を規制する円形の開口６ａを有しており、カバー板９も、開口６ａより直径の大きな開口９ａを有している。地板６とカバー板９とは、それらの開口６ａ，９ａを、透光板２と撮影光学系３の間に配置している。また、図２に示すように、地板６は、羽根室側の面に軸６ｂ，６ｃを有し、羽根室外の面には位置決めピン６ｄ，６ｅを有している。羽根室内には、長孔１０ａ，１１ａを有するシャッタ羽根１０，１１が配置されていて、軸６ｂ，６ｃに、夫々、回転可能に取り付けられている。【００２２】  地板６の羽根室外の面には、シャッタ羽根１０，１１を駆動するアクチュエータが、ねじ１２，１３によって取り付けられている。このアクチュエータは、ムービングマグネット型モータなどと称されている電流制御式のモータＭであって、固定子コイルに対する通電方向に対応して、永久磁石製の回転子が、所定の角度範囲内でだけ往復回転し得るモータである。このモータの構成は、例えば、特開２０００−６００８８号により周知であるが、ここで、その構成を簡単に説明する。【００２３】  モータＭの固定子は、第１固定子枠１４と、第２固定子枠１５と、コイル１６と、ヨーク１７とで構成されていて、第２固定子枠１５に設けられた孔を位置決めピン６ｄ，６ｅに嵌合させ、ねじ１２，１３によって地板６に取り付けられている。第１固定子枠１４はコップ状をしていて、その開放端を第２固定子枠１５で塞ぎ、その両者にコイル１６を巻回した後、第１固定子枠１４に、円筒形をしたヨーク１７を嵌合させている。第１固定子枠１４には、鉄ピンと称される５本の磁性体棒１８が埋設されている。【００２４】  モータＭの回転子は、明示していないが、第１固定子枠１４に収容されていて、第１固定子枠１４と第２固定子枠１５によって軸受けされている。コイル１６は、それらの軸受部を囲むようにして巻回されている。また、回転子は、永久磁石製であり、その永久磁石と一体化されていて径方向に張出した合成樹脂製の腕部１９の先端には、回転軸と平行になるように出力ピン２０が設けられている。出力ピン２０は、第２固定子枠１５と地板６に形成された図示しない円弧状の長孔を貫通し、羽根室内でシャッタ羽根１０，１１の長孔１０ａ，１１ａに嵌合している。【００２５】  このように、本実施例の構成によれば、両者の間に羽根室を構成している地板６とカバー板９とが、本体１内で、透光板２と撮影光学系３との間に配置されているため、図１においてモータを左方へ寄せ、モータの右方に大きな空間を確保することが可能である。従って、シャッタ装置は、本体内のスペース効率をよくした状態で配置されていることになる。もし、地板６とカバー板９とを、撮影光学系３の３枚のレンズ３ｂ，３ｃ，３ｄの間に配置した場合は、カバー板９の左側とモータＭの右側に狭い空間ができるだけであって、他の構成部材の配置構成が面倒になり、本体１の厚さ（図１における左右方向の寸法）を厚くせざるを得ない要因となってしまう。その上、本実施例のように、３枚のレンズ３ｂ，３ｃ，３ｄを一つのレンズ枠３ａに取り付けたり、撮影光学系３と固体撮像素子５をユニット化したりすることが容易ではなくなるため、部品点数が増加したり、組立調整が面倒になって、コストアップになることがある。【００２６】  また、本実施例の構成によれば、撮影用開口１ａを塞ぐように、本体１に透光板２を取り付けているので、地板６とカバー板９とを透光板２と撮影光学系３の間に配置しても、外部から指先を入れることはできないし、埃も入らない。仮に、透光板２が取り付けられていない場合には、シャッタ羽根１０，１１やレンズ３ｂに指先が触れ、それらの表面を汚すおそれがある。また、埃が侵入した場合には、レンズ３ｂの表面に付着するし、羽根室内に入ったものは、シャッタ羽根１０，１１に付着するものもあるし、出力ピン２０の作動を可能にするために地板６や第２固定子枠１５に設けられた長孔を通過して、回転子を配置している第１固定子枠１４内に入るものもある。更に、他の構成部材の配置されているスペースにまで侵入したものは、本実施例のような構成をしていないと、固体撮像素子４の受像面に付着することにもなる。そのため、長い間には、シャッタ装置の作動や撮影した画質に影響を与えることになるが、本実施例の場合にはそのようなことがない。【００２７】  次に、本実施例の作動を簡単に説明する。図２は本実施例の初期状態を示している。即ち、カメラの電源はオンとなっており、シャッタ羽根１０，１１は開口６ａを全開にしている。そのため、固体撮像素子４は被写体からの光にさらされており、被写体像をディスプレーで観察することが可能である。また、このとき、モータのコイル１６には通電されていないが、周知のように、図示していない回転子には、その永久磁石と磁性体棒１８との間に作用する磁気吸引力によって、時計方向へ回転する力が付与されている。そのため、シャッタ羽根１０，１１は、出力ピン２０によって相反する方向へ回転する力が与えられ、図示しないストッパに接触して、この状態が維持される。【００２８】  撮影に際してレリーズボタンを押すと、図示しない露光制御回路からの信号によって固体撮像素子４に蓄積されていた電荷が放出され、撮影のための露光が開始する。そして、所定の時間が経過すると、露光制御回路からの信号によってモータのコイル１６に通電され、回転子が反時計方向へ回転させられる。そのため、シャッタ羽根１０，１１は、出力ピン２０によって相反する方向へ回転させられ、開口部６ａを閉鎖し、図示していないストッパに当接して停止する。この閉鎖状態において撮像情報が記憶装置に転送されると、コイル１６に対して、上記の場合とは逆方向への通電が行われる。そのため、回転子は時計方向へ回転し、シャッタ羽根１０，１１に開き作動を行わせる。そして、シャッタ羽根１０，１１が開口部６ａを全開にし、図示していないストッパに当接して停止すると、コイル１６に対する通電が断たれ、図２の初期状態に復帰する。【００２９】  尚、上記の説明においては、本発明を、図３に示されているタイプの携帯電話ＭＰとして構成した場合を説明した。しかし、詳細な図面を用いて説明をするまでもなく、携帯用情報端末装置内での配置が同じであれば、本発明は、図４に示すように、本実施例のシャッタ装置を、折りたたみ式の携帯電話ＭＰの本体１に形成された撮影用開口１ａの背面に内蔵したものとすることも、図５に示されているように、ＰＤＡ（Ｐｅｒｓｏｎａｌ  Ｄｉｇｉｔａｌ  Ａｓｓｉｓｔａｎｔｓ）のような高機能電子手帳ＰＤＡの本体１に形成された撮影用開口１ａの背面に内蔵したものとすることも、図６に示すように、パソコンＰＣの本体１に形成された撮影用開口１ａの背面に内蔵することも可能である。そして、このことは、以下の各々の実施例で説明する各種の装置の場合も、同様である。
【実施例２】
【００３０】  次に、図７〜図１０を用いて実施例２を説明する。図７は本実施例の要部断面図であり、図８は図７の右方から見た平面図であり、図９は地板を取り外して図８の状態における羽根室内を示した平面図であり、図１０は図９に示されたフィルタ羽根の構成を示した説明図である。本実施例は、シャッタ装置とフィルタ装置を一つのユニットとして構成し、実施例１と同じタイプのカメラ付き携帯電話ＭＰに組み付けたものである。そのユニット以外の構成部材は、形状に多少の違いがあるにしても、実質的に実施例１と同じである。そのため、本実施例の図面においては、そのユニット以外の構成部材に、実施例１と同じ符号を付けてある。【００３１】  以下、本実施例の構成を説明する。携帯電話の本体１には、撮影用開口１ａが形成されており、その撮影用開口１ａを塞ぐように透光板２が取り付けられている。撮影光学系３は、レンズ枠３ａに取り付けられた３枚のレンズ３ｂ，３ｃ，３ｄで構成されていて、そのレンズ枠３ａには、固体撮像素子４が基板５を介して取り付けられている。【００３２】  次に、本実施例に採用されているシャッタ装置とフィルタ装置の構成を説明する。地板２１には、ねじ２２，２３によってカバー板２４が取り付けられ、地板２１とカバー板２４との間に羽根室を構成している。地板２１は、合成樹脂製であって、撮影光路を規制する円形の開口２１ａを有しており、カバー板２４も、略同じ直径の開口２４ａを有している。そして、地板２１とカバー板２４とは、それらの開口２１ａ，２４ａを、透光板２と撮影光学系３の間に配置している。また、図９に示すように、地板２１は、羽根室側の面に三つの軸２１ｂ，２１ｃ，２１ｄと、六つのストッパ２１ｅ，２１ｆ，２１ｇ，２１ｈ，２１ｉ，２１ｊを有していて、軸２１ｂ，２１ｃ，２１ｄとストッパ２１ｊの先端を、カバー板２４に設けられた孔に嵌合させている。尚、図９においては、地板２１の円形状の外形を二点鎖線で示してある。【００３３】  羽根室内には、長孔２５ａ，２６ａを有するシャッタ羽根２５，２６が配置されていて、軸２１ｂ，２１ｃに、夫々、回転可能に取り付けられている。また、シャッタ羽根２５よりカバー板２４側には、３枚の羽根２７，２８，２９が重ねて配置されている。図１０に示されているように、それらのうち、両側に配置された羽根２７，２９は全く同じ形状をしていて、カバー板２４の開口２４ａよりも若干大きな円形の開口２７ａ，２９ａをそれぞれ有しており、左端には長孔２７ｂ，２９ｂと、円孔２７ｃ，２９ｃを有している。また、羽根２８は、ＮＤフィルタ板で製作されており、左端には、長孔２８ａと円孔２８ｂを有している。そして、それらの羽根２７，２８，２９は、円孔２７ｃ，２８ｂ，２９ｃを軸２１ｄに対して回転可能に嵌合させている。【００３４】  図８に示されているように、地板２１の羽根室外の面には、シャッタ羽根２５，２６を駆動するアクチュエータが、ねじ３０，３１によって取り付けられ、フィルタ羽根を構成している３枚の羽根２７，２８，２９を駆動するアクチュエータが、ねじ３２，３３によって取り付けられている。これらのアクチュエータは、実施例１のムービングマグネット型モータとは固定子の構成が異��り、全体として扁平に構成されている。このモータも、固定子コイルに対する通電方向に対応して、永久磁石製の回転子が、所定の角度範囲内でだけ往復回転する電流制御式のムービングマグネット型モータである。しかし、その具体的な構成については、アクチュエータ自体の具体的な構成には直接関係がないので、図示した範囲内でのみ説明する。【００３５】  本実施例の二つのモータＭ１，Ｍ２は、構成が全く同じである。そして、一方のモータＭ１の固定子は、固定子枠３４と、コイル３５と、二つのヨーク３６，３７とで構成されていて、固定子枠３４がねじ３０，３１によって地板２１に取り付けられている。また、他方のモータＭ２の固定子は、固定子枠３８と、コイル３９と、二つのヨーク４０，４１とで構成されていて、固定子枠３８がねじ３２，３３によって地板２１に取り付けられている。ここでは、一方の固定子の構成だけを具体的に説明する。固定子枠３８には筒状のボビン部が形成されていて、その外周にコイル３５が巻回されている。また、各々二つの脚部を有するヨーク３６，３７は重合されていて、各々の一方の脚部を、ボビン部の中空部に挿入し、各々の二つの脚部の先端を固定子の磁極部としている。また、図８においては、明示されていないが、二つのヨーク３６，３７は全く同じ形状ではなく、ボビン部に挿入していない脚部の先端形状は、実施例１で説明した磁性体棒の役目もするように形成されている。【００３６】  一方のモータＭ１の回転子４２は、地板２１と固定子枠３４によって軸受けされており、他方のモータＭ２の回転子４３は、地板２１と固定子枠３８によって軸受けされている。各固定子の磁極部は、それらの回転子４２，４３の円周面に各々対向させられている。この回転子４２，４３は永久磁石製であるが、その永久磁石と一体化されていて径方向に張出した腕部４４，４５の先端には、回転軸と平行な出力ピン４６，４７が形成されている。それらの出力ピン４６，４７は、地板２１に形成されている図示していない各々の円弧状の長孔を貫通していて、一方の出力ピン４６は、羽根室内でシャッタ羽根２５，２６の長孔２５ａ，２６ａに嵌合し、その先端を、カバー板２４の長孔２４ｂに挿入している。また、他方の出力ピン４７は、羽根室内で３枚の羽根２７，２８，２９の長孔２７ｂ，２８ａ，２９ｂに嵌合し、その先端を、カバー板２４の長孔２４ｃに挿入している。尚、図９においては、このような構成をした回転子４２，４３、腕部４４，４５を二点鎖線で示し、出力ピン４６，４７を断面で示してある。【００３７】  このように、本実施例の構成によれば、羽根室を構成している地板２１とカバー板２４とが、本体１内で、透光板２と撮影光学系３との間に配置されているため、図７において二つのモータを左方へ寄せ、モータの右方に撮影光学系３の一部を配置することが可能である。従って、シャッタ装置とフィルタ装置を一つにした本実施例のユニットは、スペース効率が極めてよくなる状態で配置されていることになる。そして、その分だけ、本体１の厚さ（図７における左右方向の寸法）を厚くしなくて済み、また、実施例１の構成の場合より、撮影光学系３の下方のスペースを有効に利用できる。また、本実施例の場合にも、��影用開口１ａを塞ぐようにして、本体１に透光板２を取り付けてあるので、実施例１で述べたように、内部の構成部材に指で触れたり、内部へ埃が入ったりしない。【００３８】  次に、本実施例の作動を簡単に説明する。図９は本実施例の初期状態を示している。そのため、シャッタ羽根２５，２６は、地板２１に設けられた光路規制用の開口２１ａよりも若干直径の大きな開口２４ａを全開にしており、固体撮像素子４は被写体からの光にさらされている。また、このとき、二つのモータＭ１，Ｍ２のコイル３５，３９には通電されていないが、実施例１と同等の手段によって、回転子４２，４３は、この停止状態を維持され、シャッタ羽根２５，２６をストッパ２１ｅ，２１ｆに接触させ、３枚の羽根２７，２８，２９を共にストッパ２１ｉに接触させている。【００３９】  撮影に際してレリーズボタンを押すと、測光結果によって撮影光を減光して撮影すべきかどうかが判断され、減光すべきと判断された場合には、先ず、フィルタ装置用のモータＭ２のコイル３９に通電され、回転子４３を反時計方向へ回転させる。そのため、３枚の羽根２７，２８，２９は、出力ピン４７によって、同時に反時計方向へ同角度だけ回転させられ、ストッパ２１ｊに当接して停止させられる。それによって、ＮＤフィルタ板で製作された羽根２８だけが、地板２１に形成された開口２１ａを覆い、固体撮像素子４に達する撮影光が減光される。このあと、コイル３９には、撮影が終了するまで通電を続けてもよいが、通電を断ったとしても、回転子４３は、図９の状態に維持されるのと同様の理由により、その回転した位置を維持することが可能である。【００４０】  ここで、本実施例の場合には、フィルタ羽根を３枚の羽根２７，２８，２９で構成している理由を簡単に説明する。通常のフィルタ羽根は、例えば、羽根２９のように、開口２９ａを有する羽根を１枚だけ用意しておき、その開口２９ａを覆うように、ＮＤフィルタ板を羽根２９に接着していた。この場合には、ＮＤフィルタ板が地板又はカバー板に摺接して、傷が付いてしまうため、地板又はカバー板の方には、その摺接面に窪みを形成して、接触しないようにしていた。しかしながら、そのような窪みは、深く形成することが実際上難しいことと、ＮＤフィルタ板の接着の仕方によっては、ＮＤフィルタ板に反りが生じ、結局は摺接する結果となる。また、ＮＤフィルタの接着コストも無視することができない。このようなことから、部品点数は多くなるものの、製作コストを上げずに、ＮＤフィルタ板の透光面に絶対に傷が付かないようにするために、本実施例においては、３枚の羽根２７，２８，２９の重合構成を採用している。【００４１】  尚、本実施例の場合には、羽根２７，２９の開口２７ａ，２９ａの直径を、地板２１に形成された光路規制用の開口２１ａより大きくしているが、羽根２８の素材であるＮＤフィルタ板の濃度によっては、開口２７ａ，２９ａの直径を、開口２１ａより小さくすることもある。また、本実施例の場合には、フィルタ羽根を、３枚の羽根２７，２８，２９で構成しているが、本発明はそのような構成には限定されず、上記のような１枚の羽根にＮＤフィルタ板を接着したもの（以下に実施例５として説明する）でも差し支えない。更に、本実施例の場合には、減光用の羽根としてフィルタ羽根を採用しているが、絞り羽根を採用しても差し支えないし、場合によっては、それらの両方を採用しても差し支えない。その場合の絞り羽根の一例としては、以下に実施例４として説明する構成のものが好適である。【００４２】  上記のようにして、３枚の羽根２７，２８，２９が反時計方向へ回転して、ストッパ２１ｊに当接して停止すると、露光制御回路からの信号によって固体撮像素子４に蓄積されていた電荷が放出され、撮影のための露光が開始される。そして、所定時間後には、露光制御回路からの信号によって、シャッタ装置用のモータＭ１のコイル３５に通電される。それによって、回転子４２が反時計方向へ回転させられるため、シャッタ羽根２５，２６は、出力ピン４６によって相反する方向へ回転させられ、開口２１ａを閉鎖し、ストッパ２１ｇ，２１ｈに当接して停止する。その後、この閉鎖状態において撮像情報が記憶装置に転送されると、コイル３５に対して、上記の場合とは逆方向への通電が行われる。そのため、回転子４２は時計方向へ回転し、シャッタ羽根２５，２６に開き作動を行わせる。そして、シャッタ羽根２５，２６が開口２１ａを全開にし、ストッパ２１ｅ，２１ｆに当接して停止すると、コイル３５に対する通電が断たれる。【００４３】  その後、フィルタ装置用のモータのコイル３９に、上記の場合とは逆方向へ通電される。そのため、回転子４３は時計方向へ回転し、３枚の羽根２７，２８，２９は、出力ピン４７によって、同時に時計方向へ回転させられ、ストッパ２１ｉに当接して停止すると、コイル３９への通電が断たれ、図９の初期状態に復帰する。
【実施例３】
【００４４】  次に、図１１を用いて、実施例３を説明する。本実施例は、実施例１と同様に、図３に示されているタイプのカメラ付き携帯電話ＭＰに、シャッタ装置のユニットだけを組み付けている。そのため、図示していないが、本体１に対するシャッタ装置の全体の配置構成は、実施例１と同じである。図１１は、図２と同様の平面図である。また、実施例１のシャッタ装置は、シャッタ羽根を２枚備えていたが、本実施例は、１枚だけしか備えていない。そのシャッタ羽根を駆動するためのアクチュエータは、実施例２で用いられたムービングマグネット型のモータと、実質的に同じである。従って、本実施例の説明は、実施例１，２よりも簡単に行なわれる。【００４５】  先ず、本実施例の構成を説明する。地板４８は、撮影光の光路を規制する円形の開口４８ａを有している。図示しないが、地板４８の背面側には、地板４８と略同じ外形をしたカバー板が取り付けられており、地板４８との間に羽根室を構成している。そのカバー板にも、開口４８ａと同心で、開口４８ａより若干直径の大きな開口が形成されている。また、両者は、携帯電話内で、カバー板を被写体側にして配置され、図示しない本体に対して、適宜な手段によって取り付けられている。更に、地板４８は、羽根室側の面に軸４８ｂとストッパ４８ｃ，４８ｄを有しており、軸４８ｂには、シャッタ羽根４９が回転可能に取り付けられている。シャッタ羽根４９には、長孔４９ａが形成されている。【００４６】  地板４８の羽根室外の面には、シャッタ羽根４９を駆動するアクチュエータが、ねじ５０，５１によって取り付けられている。このアクチュエータは、実施例２のモータＭ１，Ｍ２と同様に扁平型のムービングマグネットモータＭであり、具体的な構成も、モータＭ１，Ｍ２と実質的に同じである。従って、本実施例のモータＭは、固定子が、固定子枠５２と、コイル５３と、ヨーク５４とで構成されていて、その固定子枠５２がねじ５０，５１によって地板４８に取り付けられている。そして、ヨーク５４は、その二つの脚部の先端を磁極部としている。尚、本実施例の場合には、実施例２のように、二つのヨークを重合させていないが、固定子枠５２のボビンに挿入されていない脚部の先端は、実施例１で説明した磁性体棒１８の役目もするように成形されている。【００４７】  回転子５５は、地板４８と固定子枠５２によって軸受けされている。そして、ヨーク５５の二つの磁極部は、回転子５５の円周面に対向させられている。また、回転子５５の径方向に張出した腕部５６の先端には、出力ピン５７が形成されている。出力ピン５７は、地板４８に形成されている図示しない円弧状の長孔を貫通し、羽根室内でシャッタ羽根４９の長孔４９ａに嵌合している。尚、本実施例の場合にも、実施例１，２と同様に、図１１では図示していない本体１に、その撮影用開口１ａを塞ぐように、透光板２を取り付けていることはいうまでもない。これは、以下の各実施例の場合も同じである。【００４８】  次に、本実施例の作動を簡単に説明する。図１１は、シャッタ羽根４９が開口４８ａを閉じた状態を示している。撮影前に、このような状態にあることは、表示装置によって予め被写体の観察ができないため、好ましくない。し��しながら、本実施例に用いられるモータＭは、携帯時に激しい振動が加わると、回転子５５が回転させられて、このような閉鎖状態にさせられてしまうことがある。そのような事態は、これまで説明をしなかったが、上記の各実施例の場合にも当然発生し得ることである。そのような事態が発生しないようにするため、携帯電話の電源を入れたときには、必ずコイル５３に、回転子５５を時計方向へ回転させるための電流が供給されるようにする。そのため、本実施例のように、閉鎖状態になっていた場合には、その電流の供給によって、シャッタ羽根４９が反時計方向へ回転させられ、ストッパ４８ｄに当接して停止させられる。【００４９】  その停止状態が、本実施例におけるシャッタ装置の初期状態であり、そのときには、開口部４８ａが全開になっていて、撮影前に、被写体像の観察が可能になる。その後は、実施例１，２の場合と同様であって、撮影に際してレリーズボタンを押すと、露光制御回路からの信号によって固体撮像素子４に蓄積されていた電荷が放出され、撮影のための露光が開始する。そして、所定時間後に、露光制御回路からの信号によって、コイル５３に通電されると、回転子５５が反時計方向へ回転させられるため、シャッタ羽根４９は、出力ピン５７によって時計方向へ回転させられて開口４８ａを閉鎖し、ストッパ４８ｃに当接して、図１１に示された状態になる。その後、この閉鎖状態において撮像情報が記憶装置に転送されると、コイル５３に対して、上記とは逆方向への通電が行われる。そのため、回転子５５は時計方向へ回転し、シャッタ羽根４９に開き作動を行わせる。そして、シャッタ羽根４９が開口４８ａを全開にし、ストッパ４８ｄに当接して停止すると、コイル５３に対する通電が断たれて、次の撮影の待機状態となる。
【実施例４】
【００５０】  次に、図１２を用いて、実施例４を説明する。本実施例は、図３に示されたタイプのカメラ付き携帯電話ＭＰに、絞り装置のユニットだけを組み付けている。図１２では分からないが、実際には、実施例１におけるシャッタ装置の場合と同様に、本体１に対しては、地板５８を固体撮像素子４側にし、カバー板５９を開口１ａ側にして配置されている。また、本実施例のアクチュエータは、実施例１で用いられたムービングマグネット型モータＭと実質的に同じ構成をしており、開口５８ａに対して向きを変えて、地板５８に取り付けられている。従って、モータＭの構成部材には、実施例１の場合と同じ符号を付けてある。尚、図１２には、回転子，腕部１９，出力ピン２０が明示されていない。しかしながら、回転子の配置構成は、実施例１の説明から理解することができるであろう。また、本実施例の場合には、出力ピン２０は、回転子から、ねじ１３側に延伸した腕部１９の先端に設けられる。また、アクチュエータとしては、実施例２，３に記載されたアクチュエータを用いてもよい。そして、これらのことは以下に説明する各実施例の場合も同じである。【００５１】  次に、本実施例の構成を簡単に説明する。地板５８は、撮影光の光路を規制する円形の開口５８ａを有している。また、カバー板５９は、開口５８ａより若干直径の大きな開口５９ａを有しているほか、三つの円孔５９ｂ，５９ｃ，５９ｄと円弧状の長孔５９ｅを有している。円孔５９ｂ，５９ｃは、ねじ６０，６１によって地板５８にカバー板５９を結合するのに用いられる。地板５８とカバー板５９の間に形成される羽根室には、絞り羽根６２が配置される。この絞り羽根６２は、開口５８ａよりも直径の小さな開口６２ａと、円孔６２ｂと、長孔６２ｃを有している。円孔６２ｂは、地板５８に設けられた図示しない軸に回転可能に嵌合しており、その軸の先端は、カバー板５９の円孔５９ｄに挿入されている。長孔６２ｃには、モータＭの回転子と一体の上記出力ピン２０が挿入されており、出力ピン２０の先端は、カバー板５９の円弧状の長孔５９ｅに挿入されている。尚、図示しないが、本実施例の場合にも、実施例３のストッパ４８ｃ，４８ｄに相当する二つのストッパが、地板５８の羽根室側の面に設けられている。【００５２】  次に、本実施例の作動を簡単に説明する。本実施例の絞り羽根６２は、往復回転することによって、開口６２ａを、地板５８の開口５８ａ内に進入させたり開口５８ａから退避させたりする。図１２は、開口６２ａを開口５８ａに進入させた状態を示している。撮影前に、このような状態となっていると、被写体光が減光され、表示装置によって観察する被写体像が暗くなるので、好ましくない。しかしながら、実施例３で説明したように、実際には、撮影前に開口６２ａが開口５８ａ内に進入した状態になっていることがある。そのために、携帯電話の電源スイッチを入れたときには、必ずコイル１６に対して、回転子を反時計方向へ回転させる電流が供給されるようになっている。従って、絞り羽根６２が、たまたま図１２の状態になっていた場合には、電源スイッチを入れると同時に反時計方向へ回転させられ、開口部５８ａから完全に退いた段階で、図示していないストッパに当接して停止させられる。この停止状態が、本実施例の絞り装置の初期状態である。尚、最初から初期状態が得られている場合には、電源スイッチを入れてコイル１６に通電されたとき、絞り羽根６２は、図示していないストッパに押し付けられるだけである。【００５３】  その後、撮影に際してレリーズボタンを押すと、測光回路の測定結果によって、その状態で撮影が行われるか、減光して撮影が行われるかが判断される。減光すべきと判断された場合には、モータＭのコイル１６に通電され、図示していない回転子を時計方向へ回転させる。そのため、絞り羽根６２は、図１２では図示されていない出力ピン２０によって、時計方向へ回転させられ、開口４２ａを開口５８ａ内に進入させていく。その後、絞り羽根６２は、図１２に示す状態になると、図示していないストッパに当接して停止する。このようにして、絞り羽根６２が停止すると、露光制御回路からの信号によって、図示していない固体撮像素子に蓄積されていた電荷が放出され、撮影のための露光が開始する。【００５４】  本実施例の場合には、シャッタ装置を備えていない。そのため、撮影のための露光が開始してから所定時間が経過すると、露光制御回路からの信号によって、固体撮像素子に蓄積された電荷、即ち撮像情報が直ちに記憶装置に転送される。そして、その後、コイル１６に対して、上記とは逆方向への通電が行われるため、回転子は反時計方向へ回転して、絞り羽根６２を開口５８ａから退かせていく。絞り羽根６２が、開口５８ａから完全に退いて、図示しないストッパに当接して停止すると、コイル１６に対する通電が断たれて、次の撮影の待機状態になる。尚、測光回路の測定結果によって、減光せずに撮影が行われるべきと判断された場合には、モータＭのコイル１６には通電されず、露光制御回路からの信号によって、図示しない固体撮像素子に蓄積されていた電荷が放出され、撮影のための露光が直ちに開始する。
【実施例５】
【００５５】  次に、図１３の分解斜視図を用いて、実施例５を説明する。本実施例は、図３に示されたタイプのカメラ付き携帯電話ＭＰに、フィルタ装置ユニットだけを組み付けている。そして、実施例１におけるシャッタ装置と同様に、本体１に対しては、地板６３を固体撮像素子４側にし、カバー板６４を開口１ａ側にして配置されている。また、本実施例のアクチュエータも、実施例４と同様に、実施例１で採用されているムービングマグネット型のモータＭと実質的に同じ構成をしており、地板６３に取り付けられている。従って、モータＭの構成部材には、実施例１，４の場合と同じ符号を付けてある。【００５６】  次に、本実施例の構成を説明する。地板６３は、撮影光路を規制する円形の開口６３ａを有している。また、カバー板６４は、開口６３ａより直径の大きな被写体からの光路用の開口と、後述のＮＤフィルタ板６８と接触しないようにするための逃げ部として必要な開口とを連設した、大きな円弧状の開口６４ａを有しているほか、三つの円孔６４ｂ，６４ｃ，６４ｄと円弧状の長孔６４ｅを有している。円孔６４ｂ，６４ｃは、カバー板６４を地板６３に取り付けるためのねじ６５，６６を通すのに用いられる。また、地板６３とカバー板６４との間に構成される羽根室には、羽根６７とＮＤフィルタ板６８とからなるフィルタ羽根が配置されており、羽根６７には、開口６３ａよりも直径の小さな開口６７ａが形成されている。ＮＤフィルタ板６８は、開口６７ａを覆うように、羽根６７のカバー板６４側の面に接着されている。【００５７】  羽根６７は、開口６７ａのほかに、円孔６７ｂと長孔６７ｃを有している。円孔６７ｂは、地板６３に設けられた図示しない軸に回転可能に嵌合し、その軸の先端は、カバー板６４の円孔６４ｄに挿入されている。長孔６７ｃには、モータＭの回転子と一体の出力ピン２０が挿入され、出力ピン２０の先端は、カバー板６４の円弧状の長孔６４ｅに挿入されている。そして、図示しないが、本実施例の場合にも、実施例３のストッパ４８ｃ，４８ｄに相当する二つのストッパが、地板６３の羽根室側の面に設けられている。【００５８】  尚、本実施例の場合には、開口６７ａの直径が、開口６３ａの直径よりも小さいが、周知のように、ＮＤフィルタ板６８の濃度が薄い場合には、開口６３ａよりも大きな直径にする場合もある。また、本実施例の場合には、カバー板６４は、薄い板材で製作されている。そのため、ＮＤフィルタ板６８がカバー板６４に接触しないようにするために、逃げ部として、カバー板６４には開口を設けており、その開口を、撮影光路用の円形の開口と連接させている。しかしながら、カバー板６４を厚い材料で製作した場合には、逃げ部を開口として形成する必要はなく、カバー板６４の羽根室側の面に、ＮＤフィルタ板６８の作動領域に沿って窪みを形成しても良い。また、ＮＤフィルタ板６８は、羽根６７の地板６３側の面に接着しても良く、その場合には、地板６３が厚いので、逃げ部としては、そのような窪みを形成することになる。【００５９】  このような構成をした本実施例のフィルタ羽根は、実施例４における絞り羽根６２と全く同様に作動させられる。従って、重複を避けるために、その作動説明は省略す��。
【実施例６】
【００６０】  次に、図１４の分解斜視図を用いて、実施例６を説明する。本実施例は、実施例５と同様に、図３に示されたタイプのカメラ付き携帯電話ＭＰに、フィルタ装置ユニットだけを組み付けている。しかしながら、フィルタ羽根の構成が図３のそれとは異なっている。本実施例のフィルタ羽根は、実施例２で採用されたフィルタ羽根と実質的に同じである。また、図３に示された本体１に対して、地板６９を固体撮像素子４側にし、カバー板７０を開口１ａ側にして配置されている。また、本実施例のアクチュエータは、実施例４，５の場合と同様な構成であって、同じ配置で地板６９に取り付けられている。従って、本実施例の場合にも、モータＭの構成部材には、実施例１，４，５の場合と同じ符号を付けてある。【００６１】  次に、本実施例の構成を説明する。地板６９は、撮影光の光路を規制する円形の開口６９ａを有している。また、カバー板７０は、実施例４のカバー板５９と同じ形状をしており、開口６９ａより直径の大きな被写体からの光路用の開口７０ａと、三つの円孔７０ｂ，７０ｃ，７０ｄと円弧状の長孔７０ｅを有している。円孔７０ｂ，７０ｃは、カバー板７０を地板６９に取り付けるためのねじ７１，７２を通すために用いられる。また、地板６９とカバー板７０の間に構成された羽根室には、フィルタ羽根が配置されている。本実施例のフィルタ羽根は、重合された３枚の羽根７３，７４，７５で構成されている。羽根７３，７５は、全く同じ形状をしていて、地板６９の開口６９ａよりも若干大きな開口７３ａ，７５ａと、円孔７３ｂ，７５ｂと、長孔７３ｃ，７５ｃを有している。【００６２】  また、羽根７４は、ＮＤフィルタ板で製作されていて、円孔７４ａと長孔７４ｂを有している。円孔７３ｂ，７４ａ，７５ｂは、地板６９に設けられた図示しない軸に回転可能に嵌合しており、その軸の先端は、カバー板７０の円孔７０ｄに挿入されている。また、長孔７３ｃ，７４ｂ，７５ｃは、モータＭの回転子と一体の出力ピン２０を挿入させており、その出力ピン２０の先端は、カバー板７０の円弧状の長孔７０ｅに挿入されている。尚、図示しないが、本実施例の場合にも、実施例３のストッパ４８ｃ，４８ｄに相当する二つのストッパが、地板６９の羽根室側の面に設けられている。【００６３】  このような構成をした本実施例のフィルタ羽根は、実施例４における絞り羽根６２や、実施例５におけるフィルタ羽根の場合と全く同じようにして作動させられる。従って、重複を避けるために、その作動説明は省略する。
【実施例７】
【００６４】  最後に、図１５を用いて、実施を説明する。本実施例は、実施例５と同様に、図３に示されているタイプのカメラ付き携帯電話ＭＰに、フィルタ装置ユニットだけが組み込まれている。そして、実施例１のシャッタ装置と同様に、本体１に対しては、地板７６を固体撮像素子４側にし、カバー板７７を開口１ａ側にして配置されている。アクチュエータも、実施例４と同様に、実施例１で採用したムービングマグネット型モータＭと実質的に同じ構成を有し、実施例４と同様に地板７６に取り付けらている。したがって、モータＭの構成部材には、実施例１，４，５及び６と同じ符号を付けてある。【００６５】
次に、本実施例の構成を説明する。地板７６は、撮影光路を規制する開口７６ａを有している。地板７６の羽根室側の面には、後述のフィルタ羽根８０の、少なくとも開口７６ａを覆う面とは接触しないようにするために、逃げ部として円弧状に窪み７６ｂが形成されている。また、カバー板７７は、図１３に示した開口６４ａと同様に、開口７６ａより直径の大きな被写体よりの光路用開口と、後述のフィルタ羽根８０と接触しないようにするための逃げ部として必要な開口とを連設した、大きな円弧状の開口７７ａを有しているほか、三つの円孔７７ｂ，７７ｃ，７７ｄと円弧状の長孔７７ｅを有している。円孔７７ｂ，７７ｃは、地板７６にカバー板７７を取り付けるためのネジ７８，７９を通すのに用いられる。
【００６６】  また、地板７６とカバー板７７の間に形成される羽根室には、ＮＤフィルタ板を羽根状に形成したフィルタ羽根８０が配置されている。フィルタ羽根８０は、円孔８０ａと長孔８０ｂを有している。円孔８０ａは、地板７６に設けられている図示しない軸に回転可能に嵌合させており、その軸の先端は、カバー板７７の円孔７７ｄに挿入されている。また、長孔８０ｂは、モータＭの回転軸と一体の出力ピン２０を挿入させており、出力ピン２０の先端は、カバー板７７の長孔７７ｅに挿入されている。図示しないが、本実施例においても実施例３のストッパ４８ｃ，４８ｄに相当する二つのストッパが、地板７６の羽根室側の面に設けられている。逃げ部の高さ方向に余裕がある場合、前述の逃げ部の形状に似た凸条のガイド部を形成することでも同様の効果を得ることが出来る。【００６７】  このように構成した本実施例のフィルタ羽根は実施例５と同様に作動させられる。したがって、重複を避けるため、その作動説明は省略する。【００６８】  尚、上記の各実施例においては、地板とカバー板との間に羽根室を構成しているが、本発明には、特開２０００−２９２８２７号に記載されているような、羽根室を構成しないシャッタ装置や絞り装置も適用することができる。また、実施例２のように、二つの装置を一つのユニットとする場合は、周知のように羽根室を二つ構成しても良い。更に、上記の各実施例の場合には、アクチュエータとして、ムービングマグネット型モータを採用しているが、本発明は、その種のモータを駆動源とすることには限定されず、ステップモータであっても、プランジャのように一方向へだけはばねで作動する形式であっても良い。
【産業上の利用可能性】
【００６９】
本発明のカメラ付き携帯用情報端末装置は、シャッタ装置，絞り装置などの羽根部材と、その羽根部材を取り付けている地板とを、装置本体の撮影用開口と撮影光学系との間に配置して、その撮影用開口に透光板を取り付けたから、本体の薄型化や本体内部のスペースの効率化にとって好適であり、本体を大型化することなく、画質のよい画像が得られる。
【図１】
0005323305.tif 000002
【図２】
0005323305.tif 000003
【図３】
0005323305.tif 000004
【図４】
0005323305.tif 000005
【図５】
0005323305.tif 000006
【図６】
0005323305.tif 000007
【図７】
0005323305.tif 000008
【図８】
0005323305.tif 000009
【図９】
0005323305.tif 000010
【図１０】
0005323305.tif 000011
【図１１】
0005323305.tif 000012
【図１２】
0005323305.tif 000013
【図１３】
0005323305.tif 000014
【図１４】
0005323305.tif 000015
【図１５】
0005323305.tif 000016